(57)【要約】【課題】携帯端末装置を回転させるだけで、自動的にコンテンツの表示方向を切り替え可能な携帯端末装置を提供する。【解決手段】静止画／動画コンテンツを表示コンテンツとしてディスプレイ１２ａに表示する際に加速度センサ部１６にて検知した携帯端末装置１００の回転方向、回転角度に応じてディスプレイ１２ａに対する表示コンテンツの表示方向をコンテンツ回転処理部１３ｂにて回転させた後、該表示コンテンツをアスペクト比を変更することなくディスプレイ１２ａに表示可能な状態にコンテンツ拡大／縮小処理部１３ｃにて拡大／縮小する。ディスプレイ１２ａの表示画面が矩形形状からなっている場合、表示コンテンツの表示方向を回転させる位置を、表示画面を形成する４辺に沿った４つの方向のいずれかとする。携帯端末装置１００の回転角度について表示コンテンツの表示方向を回転させることを有効とする角度範囲としてあらかじめ定めた感応領域を有する。【選択図】図１
2008131616.tif 000002
【特許請求の範囲】
【請求項１】
静止画コンテンツや動画コンテンツを表示コンテンツとして表示するディスプレイと当該携帯端末装置の回転方向および回転角度を検知する加速度センサ部とを少なくとも備えた携帯端末装置において、前記ディスプレイの表示画面に対する前記表示コンテンツの表示方向を、前記加速度センサ部によって検知された当該携帯端末装置の回転方向および回転角度に応じて対応する位置まで回転させるコンテンツ回転処理手段と、前記コンテンツ回転処理手段により表示方向を回転させた前記表示コンテンツを、アスペクト比を変更することなく、前記ディスプレイの表示画面に表示可能な状態に拡大／縮小するコンテンツ拡大／縮小処理手段と、を少なくとも備えて構成されていることを特徴とする携帯端末装置。
【請求項２】
請求項１に記載の携帯端末装置において、前記ディスプレイの表示画面が矩形形状からなっている場合、前記コンテンツ回転処理手段が前記表示コンテンツの表示方向を回転させる前記対応する位置が、前記ディスプレイの表示画面を形成する４辺に沿った４つの方向のうちのいずれかの方向であることを特徴とする携帯端末装置。
【請求項３】
請求項１または２に記載の携帯端末装置において、前記コンテンツ回転処理手段が、当該携帯端末装置の回転方向および回転角度について、前記表示コンテンツの表示方向を回転させることを有効とする角度範囲としてあらかじめ定めた感応領域を有し、前記加速度センサ部によって検知された当該携帯端末装置の回転方向および回転角度が、前記感応領域の角度範囲内に達している場合に、前記表示コンテンツの表示方向を回転させる処理を実施することを特徴とする携帯端末装置。
【請求項４】
請求項３に記載の携帯端末装置において、前記コンテンツ回転処理手段は、前記加速度センサ部によって検知された当該携帯端末装置の回転方向および回転角度が、前記感応領域の角度範囲内に存在している時間が、あらかじめ定めた継続時間以上になっていることを検知した場合に、前記表示コンテンツの表示方向を回転させる処理を実施することを特徴とする携帯端末装置。
【請求項５】
請求項３または４に記載の携帯端末装置において、前記コンテンツ回転処理手段は、前記加速度センサ部によって検知された当該携帯端末装置の回転方向および回転角度が、前記感応領域の角度範囲内に達していない場合、あるいは、前記感応領域の角度範囲内に存在していた時間が、前記継続時間以上になっていなかった場合、前記表示コンテンツの表示方向を現在の表示方向のまま保持することを特徴とする携帯端末装置。
【請求項６】
請求項１ないし５のいずれかに記載の携帯端末装置において、前記コンテンツ回転処理手段による前記表示コンテンツの表示方向の回転処理の起動を強制的に抑止する回転処理抑止手段をさらに備えていることを特徴とする携帯端末装置。
【請求項７】
請求項１ないし６のいずれかに記載の携帯端末装置において、当該携帯端末装置が、携帯電話機、ＰＤＡ（Personal Digital Assistants）、携帯ノートＰＣ、あるいは、携帯型のマルチメディアプレーヤのいずれかを少なくとも含むことを特徴とする携帯端末装置。
【請求項８】
請求項１ないし７のいずれかに記載の携帯端末装置において、前記表示コンテンツが、カメラで撮影した静止画コンテンツまたは動画コンテンツ、インターネットサイトから取得した静止画コンテンツまたは動画コンテンツ、地上波テレビ放送から受信した静止画コンテンツまたは動画コンテンツを少なくとも含むことを特徴とする携帯端末装置。
【請求項９】
静止画コンテンツや動画コンテンツを表示コンテンツとして表示するディスプレイと当該携帯端末装置の回転方向および回転角度を検知する加速度センサ部とを少なくとも備えた携帯端末装置における表示方向切り替え方法であって、前記ディスプレイの表示画面に対する前記表示コンテンツの表示方向を、前記加速度センサ部によって検知された当該携帯端末装置の回転方向および回転角度に応じて対応する位置まで回転させた後、アスペクト比を変更することなく、前記ディスプレイの表示画面に表示可能な状態に拡大／縮小することを特徴とする表示方向切り替え方法。
【請求項１０】
請求項９に記載の表示方向切り替え方法において、前記ディスプレイの表示画面が矩形形状からなっている場合、前記表示コンテンツの表示方向を回転させる前記対応する位置が、前記ディスプレイの表示画面を形成する４辺に沿った４つの方向のうちのいずれかの方向であることを特徴とする表示方向切り替え方法。
【請求項１１】
請求項９または１０に記載の表示方向切り替え方法において、当該携帯端末装置の回転方向および回転角度について、前記表示コンテンツの表示方向を回転させることを有効とする角度範囲としてあらかじめ定めた感応領域を有し、前記加速度センサ部によって検知された当該携帯端末装置の回転方向および回転角度が、前記感応領域の角度範囲内に達している場合に、前記表示コンテンツの表示方向を回転させることを特徴とする表示方向切り替え方法。
【請求項１２】
請求項１１に記載の表示方向切り替え方法において、前記加速度センサ部によって検知された当該携帯端末装置の回転方向および回転角度が、前記感応領域の角度範囲内に存在している時間が、あらかじめ定めた継続時間以上になっていることを検知した場合に、前記表示コンテンツの表示方向を回転させることを特徴とする表示方向切り替え方法。
【請求項１３】
請求項１１または１２に記載の表示方向切り替え方法において、前記加速度センサ部によって検知された当該携帯端末装置の回転方向および回転角度が、前記感応領域の角度範囲内に達していない場合、あるいは、前記感応領域の角度範囲内に存在していた時間が、前記継続時間以上になっていなかった場合、前記表示コンテンツの表示方向を現在の表示方向のまま保持することを特徴とする表示方向切り替え方法。
【請求項１４】
請求項９ないし１３のいずれかに記載の表示方向切り替え方法において、前記表示コンテンツの表示方向の回転処理の起動を強制的に抑止する回転処理抑止ステップを有していることを特徴とする表示方向切り替え方法。
【請求項１５】
請求項９ないし１４のいずれかに記載の表示方向切り替え方法を、コンピュータによって実行可能なプログラムとして実施していることを特徴とする表示方向切り替えプログラム。
【発明の詳細な説明】
【技術分野】
【０００１】
本発明は、携帯端末装置、表示方向切り替え方法、および、表示方向切り替えプログラムに関し、特に、静止画／動画コンテンツを画面一杯に効果的に表示可能とする携帯端末装置、表示方向切り替え方法、および、表示方向切り替えプログラムに関する。
【背景技術】
【０００２】
一般的に、動画コンテンツは、縦方向よりも横方向に長い表示形式にされているものであるが、一方、携帯端末装置は、折り畳み構造を採用しているため、ディスプレイの表示画面（表示可能領域）が縦方向が横方向よりも長い縦長タイプのものとなっている。
【０００３】
このため、携帯端末装置で動画コンテンツを表示する場合に、ディスプレイの画面一杯に動画コンテンツを効果的に表示させるには、特許文献１の特開２００２−１３５３８０号公報「折り畳み式携帯型電子機器」に記載されているように、携帯端末装置を２軸ヒンジ構造などを使って構成し、動画コンテンツの表示方向を横向きに変更させると同時に、それに合わせてディスプレイを横向きにして、見易くするような可変表示機構が提案されている。
【特許文献１】特開２００２−１３５３８０号公報（第４−５頁）
【発明の開示】
【発明が解決しようとする課題】
【０００４】
しかしながら、前記特許文献１のような構造では、ユーザにとって操作が非常に煩わしく、機構の変更操作と同時に、さらに、ユーザ操作により、動画コンテンツの表示方向を横向きに切り替える操作も必要である。さらには、片手で操作するわけにいかず、両手を使って操作することが必要になり、一方の手にカバンなどの荷物を持っている状態では操作が困難である。
【０００５】
本発明は、かかる事情に鑑みてなされたものであり、携帯端末装置を回転させるだけで、加速度センサ部によって、自動的にコンテンツの表示方向を切り替えることを可能とし、手軽にディスプレイの画面表示幅を一杯に使って効果的に静止画コンテンツや動画コンテンツを表示することを可能とする携帯端末装置、表示方向切り替え方法、および、表示方向切り替えプログラムを提供することに、その目的がある。
【課題を解決するための手段】
【０００６】
前述の課題を解決するため、本発明による携帯端末装置、表示方向切り替え方法、および、表示方向切り替えプログラムは、次のような特徴的な構成を採用している。
【０００７】
（１）静止画コンテンツや動画コンテンツを表示コンテンツとして表示するディスプレイと当該携帯端末装置の回転方向および回転角度を検知する加速度センサ部とを少なくとも備えた携帯端末装置において、前記ディスプレイの表示画面に対する前記表示コンテンツの表示方向を、前記加速度センサ部によって検知された当該携帯端末装置の回転方向および回転角度に応じて対応する位置まで回転させるコンテンツ回転処理手段と、前記コンテンツ回転処理手段により表示方向を回転させた前記表示コンテンツを、アスペクト比を変更することなく、前記ディスプレイの表示画面に表示可能な状態に拡大／縮小するコンテンツ拡大／縮小処理手段と、を少なくとも備えて構成されている携帯端末装置。
（２）上記（１）の携帯端末装置において、前記ディスプレイの表示画面が矩形形状からなっている場合、前記コンテンツ回転処理手段が前記表示コンテンツの表示方向を回転させる前記対応する位置が、前記ディスプレイの表示画面を形成する４辺に沿った４つの方向のうちのいずれかの方向である携帯端末装置。
（３）上記（１）または（２）の携帯端末装置において、前記コンテンツ回転処理手段が、当該携帯端末装置の回転方向および回転角度について、前記表示コンテンツの表示方向を回転させることを有効とする角度範囲としてあらかじめ定めた感応領域を有し、前記加速度センサ部によって検知された当該携帯端末装置の回転方向および回転角度が、前記感応領域の角度範囲内に達している場合に、前記表示コンテンツの表示方向を回転させる処理を実施する携帯端末装置。
（４）上記（３）の携帯端末装置において、前記コンテンツ回転処理手段は、前記加速度センサ部によって検知された当該携帯端末装置の回転方向および回転角度が、前記感応領域の角度範囲内に存在している時間が、あらかじめ定めた継続時間以上になっていることを検知した場合に、前記表示コンテンツの表示方向を回転させる処理を実施する携帯端末装置。
（５）上記（３）または（４）の携帯端末装置において、前記コンテンツ回転処理手段は、前記加速度センサ部によって検知された当該携帯端末装置の回転方向および回転角度が、前記感応領域の角度範囲内に達していない場合、あるいは、前記感応領域の角度範囲内に存在していた時間が、前記継続時間以上になっていなかった場合、前記表示コンテンツの表示方向を現在の表示方向のまま保持する携帯端末装置。
（６）上記（１）ないし（５）のいずれかの携帯端末装置において、前記コンテンツ回転処理手段による前記表示コンテンツの表示方向の回転処理の起動を強制的に抑止する回転処理抑止手段をさらに備えている携帯端末装置。
（７）上記（１）ないし（６）のいずれかの携帯端末装置において、当該携帯端末装置が、携帯電話機、ＰＤＡ（Personal Digital Assistants）、携帯ノートＰＣ、あるいは、携帯型のマルチメディアプレーヤのいずれかを少なくとも含む携帯端末装置。
（８）上記（１）ないし（７）のいずれかの携帯端末装置において、前記表示コンテンツが、カメラで撮影した静止画コンテンツまたは動画コンテンツ、インターネットサイトから取得した静止画コンテンツまたは動画コンテンツ、地上波テレビ放送から受信した静止画コンテンツまたは動画コンテンツを少なくとも含む携帯端末装置。
（９）静止画コンテンツや動画コンテンツを表示コンテンツとして表示するディスプレイと当該携帯端末装置の回転方向および回転角度を検知する加速度センサ部とを少なくとも備えた携帯端末装置における表示方向切り替え方法であって、前記ディスプレイの表示画面に対する前記表示コンテンツの表示方向を、前記加速度センサ部によって検知された当該携帯端末装置の回転方向および回転角度に応じて対応する位置まで回転させた後、アスペクト比を変更することなく、前記ディスプレイの表示画面に表示可能な状態に拡大／縮小する表示方向切り替え方法。
（１０）上記（９）の表示方向切り替え方法において、前記ディスプレイの表示画面が矩形形状からなっている場合、前記表示コンテンツの表示方向を回転させる前記対応する位置が、前記ディスプレイの表示画面を形成する４辺に沿った４つの方向のうちのいずれかの方向である表示方向切り替え方法。
（１１）上記（９）または（１０）の表示方向切り替え方法において、当該携帯端末装置の回転方向および回転角度について、前記表示コンテンツの表示方向を回転させることを有効とする角度範囲としてあらかじめ定めた感応領域を有し、前記加速度センサ部によって検知された当該携帯端末装置の回転方向および回転角度が、前記感応領域の角度範囲内に達している場合に、前記表示コンテンツの表示方向を回転させる表示方向切り替え方法。
（１２）上記（１１）の表示方向切り替え方法において、前記加速度センサ部によって検知された当該携帯端末装置の回転方向および回転角度が、前記感応領域の角度範囲内に存在している時間が、あらかじめ定めた継続時間以上になっていることを検知した場合に、前記表示コンテンツの表示方向を回転させる表示方向切り替え方法。
（１３）上記（１１）または（１２）の表示方向切り替え方法において、前記加速度センサ部によって検知された当該携帯端末装置の回転方向および回転角度が、前記感応領域の角度範囲内に達していない場合、あるいは、前記感応領域の角度範囲内に存在していた時間が、前記継続時間以上になっていなかった場合、前記表示コンテンツの表示方向を現在の表示方向のまま保持する表示方向切り替え方法。
（１４）上記（９）ないし（１３）のいずれかの表示方向切り替え方法において、前記表示コンテンツの表示方向の回転処理の起動を強制的に抑止する回転処理抑止ステップを有している表示方向切り替え方法。
（１５）上記（９）ないし（１４）のいずれかの表示方向切り替え方法を、コンピュータによって実行可能なプログラムとして実施している表示方向切り替えプログラム。
【発明の効果】
【０００８】
本発明の携帯端末装置、表示方向切り替え方法、および、表示方向切り替えプログラムによれば、携帯端末装置を任意の方向に回転させるだけで、加速度センサ部により、自動的に、回転方向と回転角度とを検知して、その回転方向と回転角度とにおけるディスプレイの表示画面に合うように、静止画コンテンツや動画コンテンツの表示方向を自動的に回転させて切り替えるとともに、ディスプレイの表示画面幅を考慮したサイズに拡大／縮小させることができ、従来のように、ユーザによる表示コンテンツの表示方向切り替え操作などを行うことは一切不要である。而して、簡単に、ディスプレイの表示画面幅を一杯に使った効果的な静止画コンテンツや動画コンテンツを再生させて、より見易い状態で、表示コンテンツを見ることができる。
【発明を実施するための最良の形態】
【０００９】
以下、本発明による携帯端末装置、表示方向切り替え方法、および、表示方向切り替えプログラムの好適実施形態例について、添付図を参照して説明する。
【００１０】
（本発明の主要な特徴）
まず、本発明の主要な特徴についてその概要を説明する。本発明は、静止画／動画コンテンツを表示するディスプレイと回転方向、回転角度を検知可能な加速度センサとを備えた携帯端末装置において、そのディスプレイの表示画面（表示可能領域）に表示する表示コンテンツの表示方向を当該携帯端末装置の回転方向、回転角度に応じて自動的に切り替えることを可能とする携帯端末装置、表示方向切り替え方法、および、表示方向切り替えプログラムに関するものである。
【００１１】
ここで、携帯端末装置は、加速度センサを備えたものであれば如何なる種類の端末装置であっても良く、例えば、ＩＭＴ（International Mobile Telecommunication）方式やＰＤＣ（Personal Digital Cellular）方式やＰＨＳ（Personal Handyphone System）方式などに準拠した携帯電話機であっても良いし、ＰＤＡ（Personal Digital Assistants）や携帯ノートＰＣなどの携帯型情報端末であっても良いし、音楽や映像などを再生可能な携帯型のマルチメディアプレーヤであっても良い。
【００１２】
また、携帯端末装置のディスプレイに表示するコンテンツは、如何なる提供元から取得したものであっても良く、カメラで撮影された静止画／動画コンテンツであっても良いし、インターネットサイトから取得した静止画／動画コンテンツであっても良いし、地上波テレビ放送から受信した静止画／動画コンテンツなどであっても良い。
【００１３】
静止画／動画コンテンツを携帯端末装置のディスプレイに表示する際に、携帯端末装置を、任意の回転方向、回転角度（傾斜角度）まで回転させることにより、当該携帯端末装置のディスプレイを垂直方向に長くしたり、水平方向に長くしたり、あるいは、ディスプレイの天地を逆転したりすると、当該携帯端末装置に備えられている加速度センサ部が、回転方向と回転角度とを直ちに検知して、ディスプレイの回転方向、回転角度に沿うように、表示コンテンツの表示方向を自動的に切り替えて、ディスプレイの表示画面幅一杯を有効に使った表示を可能とする機能を備えている。
【００１４】
かかる機能を備えることによって、ユーザは、当該携帯端末装置を任意の回転方向、回転角度まで回転させるだけで、何らのボタン操作によるコンテンツ表示方向の切り替え操作を行う必要もなく、ディスプレイへのコンテンツの表示方向を自動的に切り替えさせることを可能としている。
【００１５】
以下の説明においては、本発明による携帯端末装置の実施例について、その一例を詳細に説明するが、この説明により、本発明の表示方向切り替え方法、表示方向切り替えプログラムに関する実施例についても、容易に理解することができるので、表示方向切り替え方法、表示方向切り替えプログラムに関する詳細な実施例についての説明は省略する。
【００１６】
（実施例の構成）
図１は、本発明の携帯端末装置のブロック構成の一例を示すブロック構成図である。図１に示す携帯端末装置１００は、キー入力部１１、表示部１２、制御部１３、記憶部１４、無線部１５、加速度センサ部１６、を少なくとも備えて構成されている。なお、以下の記述は、携帯端末装置１００が有する各種機能のうち、静止画／動画コンテンツを画面表示する際の動作を中心にして説明する。
【００１７】
ここで、キー入力部１１は、ユーザによるキー入力操作により、カメラで撮影した静止画／動画コンテンツ、インターネットサイトからの静止画／動画コンテンツ、地上波テレビ放送から受信した動画コンテンツなどを取得して、表示部１２に表示・再生させたり、記憶部１４に記憶させたりするなど、各種機能に関するユーザ操作を行うものである。
【００１８】
表示部１２は、キー入力部１１の操作指示により取得した、カメラ撮影の静止画／動画コンテンツやインターネットサイトの静止画／動画コンテンツや地上波テレビ放送のコンテンツなどの静止画／動画コンテンツ、あるいは、記憶部１４に記憶されている静止画／動画コンテンツなどを、制御部１３の制御の下、ディスプレイ１２ａに表示するものである。ここに、ディスプレイ１２ａは、矩形形状の液晶パネルなどによって構成されており、表示画面すなわち表示可能領域の縦・横のサイズは、一般的に、異なっている。例えば、折り畳み式の携帯電話機などの場合は、縦方向が横方向よりも長い縦長の表示可能領域とされている。
【００１９】
制御部１３は、回転動作取得部１３ａ、コンテンツ回転処理部１３ｂ、コンテンツ拡大／縮小処理部１３ｃを少なくとも備え、回転動作取得部１３ａによって加速度センサ部１６からの携帯端末装置１００の回転方向、回転角度を取得して、取得した回転方向、回転角度に応じて、コンテンツ回転処理部１３ｂにより、表示部１２のディスプレイ１２ａに表示する静止画／動画コンテンツの表示方向を表示部１２のディスプレイ１２ａに対して９０度、１８０度、２７０度、３６０度（０度）のいずれか（矩形形状の表示画面のいずれかの辺に沿った状態）に回転する回転制御を行い、さらには、コンテンツ拡大／縮小処理部１３ｃによりアスペクト比を維持した形で静止画／動画コンテンツを表示部１２のディスプレイ１２ａの表示画面幅一杯までに拡大／縮小処理する制御を行ったりする。
【００２０】
すなわち、コンテンツ回転処理部１３ｂは、例えば、携帯端末装置１００が右方向に４５度〜１３５度の範囲内に回転した場合には、静止画／動画コンテンツの表示方向を右方向に９０度だけ回転させ、右方向に１３５度〜２２５度の範囲内に回転した場合には、静止画／動画コンテンツの表示方向を右方向に１８０度だけ回転させ、右方向に２２５度〜３１５度の範囲内に回転した場合には、静止画／動画コンテンツの表示方向を右方向に２７０度回転させ、右方向に３１５度〜４５度の範囲内に回転した場合には、静止画／動画コンテンツの表示方向を右方向に３６０度回転させるか、０度のまま回転させないような処理を行う。この結果、携帯端末装置１００の回転方向、回転角度に応じて、静止画／動画コンテンツの表示方向を、適宜、適切な方向に自動的に切り替えることを可能としている。
【００２１】
ただし、携帯端末装置１００は、所持者に携帯されているという動揺が伴う環境下に通常置かれているため、携帯端末装置１００の回転動作に直ちに感応して、あるいは、短時間の回転動作に感応して、静止画／動画コンテンツ表示方向の回転動作を行わないようにし、あらかじめ定めた一定時間以上に亘って、携帯端末装置１００が回転している状態にあった場合に、はじめて、前述のような静止画／動画コンテンツの回転処理を行うように考慮する必要がある。さらには、４５度近辺、１３５度近辺、２２５度近辺、３１５度近辺などの、静止画／動画コンテンツの回転位置を左右する閾値近傍にある場合にも、静止画／動画コンテンツの表示方向が頻繁に切り替わるような動揺が生じないように、或る一定時間までの積分値を取ることによって、感度を鈍くするように配慮することが必要である。
【００２２】
あるいは、携帯端末装置１００の回転角度が右方向に４５度、１３５度、２２５度、３１５度の各角度閾値によって区切られた前述のような連続的な角度範囲のいずれにあるかによって、コンテンツの表示方向を決定するのではなく、表示コンテンツを回転させる動作を行わない不感応な角度範囲を設けるようにしても良い。例えば、ディスプレイ１２ａの表示画面に対して９０度、１８０度、２７０度、３６０度（０度）のいずれかに表示コンテンツの表示方向を回転させることを有効とする感応領域として、それぞれ、７０度〜１１０度、１６０度〜２００度、２５０度〜２９０度、３４０度〜２０度などと４０度角度幅の領域のみとするように設定しても良い。
【００２３】
携帯端末装置１００の回転角度が、このいずれかの感応領域（例えば７０度〜１１０度の範囲内の角度）に、あらかじめ定めた或る継続時間以上に亘って、留まっていた場合には、表示コンテンツの表示方向を、対応する方向（例えば９０度の方向）に回転させることとし、一方、不感応領域となる角度（例えば２０度〜７０度の範囲内の角度）しか回転されていなかったり、あるいは、いずれかの感応領域に留まっている時間が短かく、前記継続時間に至らなかったりした場合には、現在の表示方向（例えば、０度の方向）を変更することなく、現在の表示方向のままの状態を継続することとする。
【００２４】
また、コンテンツ拡大／縮小処理部１３ｃは、拡大／縮小時のコンテンツのアスペクト比を維持するために、表示部１２のディスプレイ１２ａの表示可能領域サイズ（横Ｄｘ，縦Ｄｙ）と、コンテンツ回転処理部１３ｂによって回転処理された後のコンテンツのサイズ（横Ｃｘ，縦Ｃｙ）と、を比較して、横、縦それぞれの比（横Ｄｘ／Ｃｘ，縦Ｄｙ／Ｃｙ）を求めて、横、縦のうち、いずれか小さい方の比を拡大／縮小率として採用して、コンテンツの横方向および縦方向を同一の比で拡大／縮小する処理を行う。
【００２５】
これにより、例えば、ディスプレイ１２ａの表示画面（表示可能領域）の縦横比と、表示方向の回転処理後の表示コンテンツの縦横比とが同一であれば、表示コンテンツのアスペクト比を維持した状態で、表示画面（表示可能領域）の縦横幅一杯を使った見易い表示コンテンツに拡大／縮小して表示することができる。また、両者の縦横比が異なっている場合であっても、表示方向を回転させた結果、変更された横Ｄｘ／Ｃｘ，縦Ｄｙ／Ｃｙの比のうち、小さい方の比を用いて拡大／縮小するので、より大きい表示画像領域として設定することが可能であり、表示画面（表示可能領域）を有効に生かした表示を行うことができる。
【００２６】
記憶部１４は、携帯端末装置１００の動作を制御するプログラム（例えば、表示方向切り替えプログラムなど）を記憶したり、各種の設定値を記憶したり、さらには、カメラ撮影の静止画／動画コンテンツやインターネットサイトの静止画／動画コンテンツや地上波テレビ放送の静止画／動画コンテンツなど、取得した各種の静止画／動画コンテンツを記憶しておくものである。
【００２７】
無線部１５は、制御部１３の制御の下、通信相手への通話用の発着信や、メールやインターネットなどを介したテキストや画像などの各種データの送受信や、地上波テレビ信号の受信など、各種の無線電波の送受信を行うものである。
【００２８】
加速度センサ部１６は、２軸または３軸のセンサから構成されており、携帯端末装置１００の回転方向、回転角度を検知して、制御部１３の回転動作取得部１３ａに通知するものである。ここで、加速度センサ部１６の加速度検知機構は、例えば、半導体プロセスにて作製されるＭＥＭＳ（micro electro mechanical systems）センサにより構成されており、ピエゾ抵抗型、静電容量型など各種の方式によって実現することができる。
【００２９】
（第１の実施例の説明）
次に、図１の携帯端末装置１００の静止画／動画コンテンツの表示動作の一例について、図２を用いて説明する。図２は、本発明の一例である携帯端末装置１００のディスプレイ１２ａへの表示動作の第１の実施例を説明するための説明図であり、携帯端末装置１００を回転させた場合のディスプレイ１２ａへの静止画／動画コンテンツの表示状態の一例を示している。図２において、図２（Ａ）が、携帯端末装置１００が上向きの位置にある状態を示し、図２（Ｂ）が、右に９０度回転した位置にある状態を示し、図２（Ｃ）が、下向きの位置にある状態を示し、図２（Ｄ）が、左に９０度回転した位置にある状態を示している。
【００３０】
また、図２において、ディスプレイ１２ａ内の黒の領域が、静止画／動画コンテンツの表示領域を示しており、静止画／動画コンテンツの表示方向は、その表示領域内に「上」と表示しているように、紙面の上方向が、コンテンツの上部を示している。なお、本実施例においては、黒の領域に示すように、この静止画／動画コンテンツは横長のコンテンツである場合を示している。一方、携帯端末装置１００のディスプレイ１２ａは、縦長の表示可能領域である場合を示している。
【００３１】
図２（Ａ）のように、携帯端末装置１００が上向きの位置にあった場合、制御部１３の回転動作取得部１３ａが、加速度センサ部１６から携帯端末装置１００が回転していない状態にあるとの通知を受け取ることによって、コンテンツ回転処理部１３ｂでは、表示する静止画／動画コンテンツを回転させることなく、そのまま、ディスプレイ１２ａの上方向に静止画／動画コンテンツの上方向を表示させる状態にする。しかる後、コンテンツ拡大／縮小処理部１３ｃによって、ディスプレイ１２ａの表示可能領域に応じて静止画／動画コンテンツの拡大／縮小処理が行われる。
【００３２】
縦長のディスプレイ１２ａに対して静止画／動画コンテンツが横方向に長い横長コンテンツの場合、静止画／動画コンテンツ２１は、横方向の拡大／縮小率を用いて、縦・横双方に同一の比率で拡大／縮小処理が施され、縦長のディスプレイ１２ａに対して表示可能領域の横幅一杯を使って、図２（Ａ）の静止画／動画コンテンツ２１の表示がなされる。しかし、図２（Ａ）に示すように、縦長のディスプレイ１２ａの表示可能領域の上下には、コンテンツが表示されない空き領域が生じており、表示可能領域を一杯に使った有効な表示を行うことができない状態になっている。
【００３３】
そこで、図２（Ｂ）のように、携帯端末装置１００を右方向に９０度回転させると、ディスプレイ１２ａが水平方向に対して横長な状態になる。ここで、制御部１３の回転動作取得部１３ａが、加速度センサ部１６から携帯端末装置１００が右方向に９０度回転している状態にあるとの通知を受け取ることによって、コンテンツ回転処理部１３ｂでは、静止画／動画コンテンツの表示方向をディスプレイ１２ａの表示画面に対して９０度右方向に回転させる。
【００３４】
その結果、ディスプレイ１２ａの左側面側（すなわち、図２（Ｂ）の紙面上の上方向）に静止画／動画コンテンツの上方向を表示させる状態にする。しかる後、コンテンツ拡大／縮小処理部１３ｃによって、ディスプレイ１２ａの表示可能領域に応じて静止画／動画コンテンツの拡大／縮小処理が行われ、図２（Ａ）の状態よりも、ディスプレイ１２ａの表示画面を有効に使った画面表示結果となる。
【００３５】
ここで、仮に、ディスプレイ１２ａの表示可能領域のサイズの縦：横の比が、静止画／動画コンテンツの横：縦の比（すなわち、回転処理後の静止画／動画コンテンツの縦：横の比）と同じであった場合には、図２（Ｂ）に示すように、静止画／動画コンテンツ２２のアスペクト比を変更することなく、ディスプレイ１２ａの表示可能領域に空き領域がなくなり、表示可能領域の縦・横の幅一杯を使った有効な静止画／動画コンテンツ２２の表示を行うことが可能になる。また、ディスプレイ１２ａの表示可能領域のサイズの縦：横の比が、静止画／動画コンテンツの横：縦の比と異なっている場合であっても、横長の静止画／動画コンテンツを、水平方向に長くなった状態のディスプレイ１２ａの表示可能領域に表示することになるので、図２（Ａ）の場合よりも、表示可能領域を有効に使った表示を行うことができる。
【００３６】
同様に、図２（Ｃ）のように、携帯端末装置１００を下向きに回転させた場合には、制御部１３の回転動作取得部１３ａが、加速度センサ部１６からの回転方向および回転角度を取得して、コンテンツ回転処理部１３ｂにて１８０度まで静止画／動画コンテンツの表示方向を回転させて、天地を逆転させた状態にした後、コンテンツ拡大／縮小処理部１３ｃによって圧縮／拡大処理をした静止画／動画コンテンツ２３をディスプレイ１２ａに表示させる。
【００３７】
また、図２（Ｄ）のように、携帯端末装置１００を左向きに９０度回転させた場合には、制御部１３の回転動作取得部１３ａが、加速度センサ部１６からの回転方向および回転角度を取得して、コンテンツ回転処理部１３ｂにて左方向に９０度（または右方向に２７０度）静止画／動画コンテンツの表示方向を回転させた状態にした後、コンテンツ拡大／縮小処理部１３ｃによって圧縮／拡大処理をした静止画／動画コンテンツ２４をディスプレイ１２ａに表示させる。このように、携帯端末装置１００を左向きに回転させた場合であっても、加速度センサ部１６が回転方向および回転角度を自動的に検知して、ディスプレイ１２ａの表示画面に対する表示コンテンツの表示方向を自動的に切り替えて表示させることができる。
【００３８】
かくのごとく、加速度センサ部１６にて自動的に検知される携帯端末装置１００の回転方向と回転角度とに応じて、ユーザの操作が一切ない状態で、コンテンツ回転処理部１３ｂにてディスプレイ１２ａへ表示する静止画／動画コンテンツの表示方向をディスプレイ１２ａの回転角度に対応する方向に自動的に回転させて切り替えた後、コンテンツ拡大／縮小処理部１３ｃにて、静止画／動画コンテンツのアスペクト比を変えずに、ディスプレイ１２ａの表示可能領域に最も有効に表示することができるサイズに静止画／動画コンテンツを自動的に縮小／拡大させて、ディスプレイ１２ａに表示するように制御される。
【００３９】
（第２の実施例の説明）
次に、本発明の他の動作例について説明する。図３は、本発明の一例である携帯端末装置１００のディスプレイ１２ａへの表示動作の第２の実施例を説明するための説明図であり、携帯端末装置１００を回転させた場合のディスプレイ１２ａへの静止画／動画コンテンツの表示状態の一例を示している。図３において、図３（Ａ）が、携帯端末装置１００が上向きの位置にある状態を示し、図３（Ｂ）が、右に斜めに傾けた（例えば６０度回転した）位置にある状態を示し、図３（Ｃ）が、右に９０度回転した位置にある状態を示している。
【００４０】
本実施例においては、加速度センサ部１６にて検知した回転角度について、コンテンツ回転処理部１３ｂが表示対象コンテンツの回転処理を施すべき感応領域と、現在の表示方向のままにして回転処理を施さない不感応領域とを設けている場合であり、例えば、感応領域として右に７０度〜１１０度の範囲まで回転しない限り、表示対象コンテンツの回転処理を施さないようにしている場合を示している。
【００４１】
すなわち、図３（Ａ）のように、携帯端末装置１００が上向きの位置にあった場合、制御部１３の回転動作取得部１３ａが、加速度センサ部１６からの回転方向および回転角度を取得して、コンテンツ回転処理部１３ｂにて、表示する静止画／動画コンテンツを回転させることなく、そのまま、ディスプレイ１２ａの上方向に静止画／動画コンテンツの上方向を表示させる状態で、コンテンツ拡大／縮小処理部１３ｃによって圧縮／拡大処理を施した静止画／動画コンテンツ３１をディスプレイ１２ａに表示させる。
【００４２】
次に、図３（Ｂ）に示すように、携帯端末装置１００を右方向に６０度回転させた場合、制御部１３の回転動作取得部１３ａが、加速度センサ部１６からの回転方向および回転位置（傾斜角度）として右方向に６０度回転しているという情報を取得した状態であっても、コンテンツ回転処理部１３ｂでは、回転処理を施すべき感応領域にはまだ到達していないものとして、静止画／動画コンテンツの表示方向を回転させることなく、そのまま、ディスプレイ１２ａの上方向に静止画／動画コンテンツの上方向を表示させる状態にして、コンテンツ拡大／縮小処理部１３ｃによって圧縮／拡大処理をした静止画／動画コンテンツ３２をディスプレイ１２ａに表示させる。
【００４３】
しかる後、図３（Ｃ）に示すように、携帯端末装置１００を右方向に９０度回転させた場合、制御部１３の回転動作取得部１３ａが、加速度センサ部１６からの回転方向および回転角度として右方向に９０度回転しているという情報を取得することにより、コンテンツ回転処理部１３ｂでは、回転処理を施すべき感応領域に該当しているものとして、静止画／動画コンテンツの表示方向を右方向に９０度回転させた状態にして、ディスプレイ１２ａの左側面方向に静止画／動画コンテンツの上方向を表示させる状態に切り替えた後、コンテンツ拡大／縮小処理部１３ｃによって圧縮／拡大処理をした静止画／動画コンテンツ３３をディスプレイ１２ａに表示させる。
【００４４】
かくのごとく、本実施例においては、携帯端末装置１００を斜めに傾けた際に、感応領域としてあらかじめ定めた回転角度に達していなければ、静止画／動画コンテンツの表示方向を現在のままの状態に保持し、感応領域に達した場合に、はじめて、静止画／動画コンテンツの表示方向を該当する角度に回転させた状態に切り替えた後、アスペクト比を保持したまま、拡大／縮小するように制御している。なお、図３には図示していないが、９０度以上にさらに右方向に回転しても、次の１８０度回転させるべき感応領域まで回転させない限り、９０度だけ回転している現在の静止画／動画コンテンツ３３の表示方向の状態がそのまま継続し、１８０度回転させるべき感応領域まで達した時点で、静止画／動画コンテンツをさらに９０度回転させて、元の静止画／動画コンテンツの天地が逆転した状態で表示されるように制御される。
【００４５】
（第３の実施例の説明）
しかしながら、携帯端末装置１００を或る方向に回転させたとしても、あるいは、例えば、第２の実施例にて説明したような感応領域に達するまで回転させたとしても、自動的に、ディスプレイ１２ａの表示画面に対する静止画／動画コンテンツの表示方向を回転させたくない場合もある。
【００４６】
かかる場合には、加速度センサ部１６によって携帯端末装置１００の回転方向と回転角度とが検知されたとしても、コンテンツ回転処理部１３ｂの回転処理を起動させないように、無効化手段（回転処理抑止手段）を設け、ユーザがキー入力部１１を介して指示することによって、強制的に、静止画／動画コンテンツの回転処理（すなわち、静止画／動画コンテンツの表示方向の切り替え処理）を抑止させることも可能である。したがって、たとえ、携帯端末装置１００を回転させたとしても、ユーザが、意識的に、表示方向を回転させた表示コンテンツをディスプレイ１２ａの表示画面に表示させたくない場合においては、前記無効化手段（回転処理抑止手段）を用いて、表示コンテンツの回転動作の自動制御が働かないようにすることができる。
【００４７】
（本実施例の効果の説明）
前述した各実施例にて説明したように、携帯端末装置１００を任意の方向に回転させるだけで、加速度センサ部１６により、自動的に、回転方向と回転角度とを検知して、その回転方向と回転角度とにおけるディスプレイの表示画面に合うように、静止画コンテンツや動画コンテンツの表示方向を自動的に回転させて切り替えるとともに、ディスプレイ１２ａの表示可能領域（表示画面幅）を考慮したサイズに拡大／縮小させることができ、従来のように、ユーザによる表示コンテンツの表示方向切り替え操作などを行うことは一切不要である。而して、簡単に、ディスプレイ１２ａの表示可能領域（表示画面幅）の幅一杯を使った効果的な静止画コンテンツや動画コンテンツを再生させて、より見易い状態で、表示コンテンツを見ることができる。
【００４８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００４９】
【図１】本発明の携帯端末装置のブロック構成の一例を示すブロック構成図である。
【図２】本発明の一例である携帯端末装置のディスプレイへの表示動作の第１の実施例を説明するための説明図である。
【図３】本発明の一例である携帯端末装置のディスプレイへの表示動作の第２の実施例を説明するための説明図である。
【符号の説明】
【００５０】
１１      キー入力部
１２      表示部
１２ａ    ディスプレイ
１３      制御部
１３ａ    回転動作取得部
１３ｂ    コンテンツ回転処理部
１３ｃ    コンテンツ拡大／縮小処理部
１４      記憶部
１５      無線部
１６      加速度センサ部
２１      静止画／動画コンテンツ
２２      静止画／動画コンテンツ
２３      静止画／動画コンテンツ
２４      静止画／動画コンテンツ
３１      静止画／動画コンテンツ
３２      静止画／動画コンテンツ
３３      静止画／動画コンテンツ
１００    携帯端末装置
【図１】
2008131616.tif 000003
【図２】
2008131616.tif 000004
【図３】
2008131616.tif 000005